【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
遊技場に設置される遊技機と、遊技アプリケーションプログラムを実行することで、利用者が遊技を実施可能とされた利用者端末と、から成る遊技用システムであって、
前記遊技機は、予め定められた出力条件の成立に基づいて、特定の進行制御を前記遊技アプリケーションプログラムに行なわせるための遊技進行情報を出力する遊技進行情報出力手段を備え、
前記利用者端末は、前記遊技進行情報出力手段から出力された遊技進行情報を入力するための遊技進行情報入力手段を備え、該遊技進行情報入力手段より入力された遊技進行情報に基づいて、前記遊技アプリケーションプログラムによる遊技の進行制御を実施することを特徴とする遊技用システム。
【請求項２】
遊技アプリケーションプログラムを実行することで利用者が遊技を実施可能とされた利用者端末に対して情報を出力する遊技機であって、
前記遊技機は、予め定められた出力条件の成立に基づいて、特定の進行制御を前記遊技アプリケーションプログラムに行なわせるための情報であって、前記利用者端末が有する入力手段に入力可能な遊技進行情報を出力する遊技進行情報出力手段を備えることを特徴とする遊技機。
【請求項３】
遊技アプリケーションプログラムを実行することで、利用者が遊技を実施可能とされた利用者端末であって、
遊技場に設置される遊技機において予め定められた出力条件が成立したことに基づいて出力される、特定の進行制御を前記遊技アプリケーションプログラムに行なわせるための遊技進行情報を入力するための遊技進行情報入力手段を備え、該遊技進行情報入力手段より入力された遊技進行情報に基づいて、前記遊技アプリケーションプログラムによる遊技の進行制御を実施することを特徴とする利用者端末。
【請求項４】
利用者が操作可能とされた利用者端末において遊技を実施可能とするための遊技アプリケーションプログラムであって、
遊技場に設置される遊技機において予め定められた出力条件が成立したことに基づいて出力される、特定の進行制御を前記遊技アプリケーションプログラムに行なわせるための遊技進行情報を入力するための遊技進行情報入力ステップを含み、該遊技進行情報入力ステップにて入力された遊技進行情報に基づいて遊技の進行制御を実施することを特徴とする遊技アプリケーションプログラム。
【請求項５】
遊技場に設置される遊技機において実行される遊技機プログラムと、利用者が操作可能とされた利用者端末において遊技を実施可能とするために実行される遊技アプリケーションプログラムとから成る遊技用システムプログラムであって、
前記遊技機プログラムは、前記遊技機における予め定められた出力条件の成立に基づいて、特定の進行制御を前記遊技アプリケーションプログラムに行なわせるための遊技進行情報を出力する遊技進行情報出力ステップを含み、
前記遊技アプリケーションプログラムは、前記遊技機から出力される前記遊技進行情報を入力するための遊技進行情報入力ステップを含み、該遊技進行情報入力ステップにて入力された遊技進行情報に基づいて遊技の進行制御を実施することを特徴とする遊技用システムプログラム。
【手続補正２】
【補正対象書類名】明細書
【補正対象項目名】発明の名称
【補正方法】変更
【補正の内容】
【発明の名称】遊技用システム、遊技機、利用者端末、遊技アプリケーションプログラム、および遊技用システムプログラム
【手続補正３】
【補正対象書類名】明細書
【補正対象項目名】０００７
【補正方法】変更
【補正の内容】
【０００７】
本発明の手段１に記載の遊技用システムは、請求項１に記載の遊技用システムであって、
前記遊技機（スロットマシン１００）は、前記遊技進行情報出力手段（制御部９３０；進行制御情報出力処理、液晶表示部１１５）からの遊技進行情報（台出力進行制御データがシンボル化された２次元バーコード）の出力に伴って、前記遊技アプリケーションプログラムの取得を促す取得誘導情報（メッセージ、ダウンロードページのＵＲＬを含む２次元バーコード）を出力することを特徴としている。
この特徴によれば、取得誘導情報が出力されるので、遊技機における遊技者の遊技アプリケーションプログラムの利用を、より効果的に促進できる。
【手続補正４】
【補正対象書類名】明細書
【補正対象項目名】０００８
【補正方法】変更
【補正の内容】
【０００８】
本発明の手段２に記載の遊技用システムは、請求項１または手段１に記載の遊技用システムであって、
前記遊技進行情報出力手段（制御部９３０；進行制御情報出力処理、液晶表示部１１５）は、複数の異なる前記出力条件の内、成立した出力条件に対応する遊技進行情報（台出力進行制御データ）を出力し、
前記利用者端末（携帯電話機２００）は、前記遊技進行情報入力手段（制御部９３０；進行制御情報出力処理、液晶表示部１１５）から入力された遊技進行情報の種類に応じた進行制御（更新された進行制御パラメータによる進行制御）を実施することを特徴としている。
この特徴によれば、遊技進行情報の種類に応じた進行制御が実施されることで、遊技内容の変化が多様化し、異なる種類の遊技進行情報を取得する動機付けができるので、遊技アプリケーションプログラムの利用者による遊技機での遊技を、より効果的に促進できる。
【手続補正５】
【補正対象書類名】明細書
【補正対象項目名】０００９
【補正方法】変更
【補正の内容】
【０００９】
本発明の手段３に記載の遊技用システムは、請求項１または手段１〜２のいずれかに記載の遊技用システムであって、
前記利用者端末は、前記遊技進行情報入力手段から入力された遊技進行情報（台出力進行制御データ）の数または種類の組み合わせに応じた特定の進行制御（付加制御）を特定する取得状況対応進行制御特定手段（制御部２５５、Ｓｋ７＋、Ｓｋ１４、サーバコンピュータ２０）を備え、該取得状況対応進行制御特定手段にて特定した進行制御を実施することを特徴としている。
この特徴によれば、遊技内容の変化が多様化し、より多くの遊技進行情報を取得する動機付けができるので、遊技アプリケーションプログラムの利用者による遊技機での遊技を、より効果的に促進できる。
【手続補正６】
【補正対象書類名】明細書
【補正対象項目名】００１０
【補正方法】変更
【補正の内容】
【００１０】
本発明の手段４に記載の遊技用システムは、請求項１または手段１〜３のいずれかに記載の遊技用システムであって、
前記利用者端末は、前記遊技進行情報（台出力進行制御データ）が前記遊技進行情報入力手段（制御部２５５、復号プログラム、撮像部２６５）から入力されてからの経過期間を特定するための経過期間特定情報（台出力進行制御情報テーブル；有効起動回数）を記憶する経過期間特定情報記憶手段（メモリ部２６０）を備え、該経過期間特定情報記憶手段に記憶されている経過期間特定情報にて特定される経過期間が予め定められた有効期間（有効起動回数）を経過（達した）したことに基づいて、該遊技進行情報を無効とし、該遊技進行情報に基づく進行制御を実施しないことを特徴としている。
この特徴によれば、有効期間が経過することにより、遊技進行情報の再取得が必要となるため、遊技アプリケーションプログラムの利用者による遊技機での遊技を、より効果的に促進できる。
【手続補正７】
【補正対象書類名】明細書
【補正対象項目名】００１１
【補正方法】変更
【補正の内容】
【００１１】
本発明の手段５に記載の遊技用システムは、請求項１または手段１〜４のいずれかに記載の遊技用システムであって、
前記遊技進行情報出力手段（制御部９３０；進行制御情報出力処理、液晶表示部１１５）は、前記遊技機（スロットマシン１００）の機種を特定可能な機種特定情報（機種ＩＤ）を含む前記遊技進行情報（２次元バーコード）を出力し、
前記利用者端末（携帯電話機２００）は、前記遊技アプリケーションプログラムの機種と、前記遊技進行情報入力手段から入力された遊技進行情報に含まれる機種特定情報から特定される機種とが、予め定められた関係（同一）であることを条件に、該入力された遊技進行情報に基づく進行制御を実施することを特徴としている。
この特徴によれば、複数機種の遊技アプリケーションプログラムを利用している利用者の、該遊技アプリケーションプログラムの各機種と所定関係にある複数機種の遊技機での遊技を促進できるとともに、複数の機種の遊技機において遊技する遊技者の、該遊技機の各機種と所定関係にある複数機種の遊技アプリケーションプログラムの利用も促進できる。
【手続補正８】
【補正対象書類名】明細書
【補正対象項目名】００１２
【補正方法】変更
【補正の内容】
【００１２】
本発明の請求項２に記載の遊技機は、
遊技アプリケーションプログラムを実行することで利用者が遊技を実施可能とされた利用者端末に対して情報を出力する遊技機であって、
前記遊技機は、予め定められた出力条件の成立に基づいて、特定の進行制御を前記遊技アプリケーションプログラムに行なわせるための情報であって、前記利用者端末が有する入力手段に入力可能な遊技進行情報を出力する遊技進行情報出力手段を備えることを特徴としている。
この特徴によれば、遊技機から出力される遊技進行情報を利用者端末に入力することにより、遊技アプリケーションプログラムによる遊技内容が変化するため、該遊技アプリケーションプログラムの利用者は、これら遊技内容を変化させるために遊技進行情報を取得しようとするので、該利用者による遊技機での遊技を効果的に促進できるとともに、遊技機からは出力条件が成立することで遊技進行情報が出力され、遊技者は、該出力された遊技進行情報を有効活用しようとするので、該遊技進行情報を活用できる遊技アプリケーションプログラムの利用も効果的に促進できる。つまり、遊技アプリケーションプログラムと遊技場の遊技機とによる相乗効果を得ることができる遊技機を提供できる。
本発明の請求項３に記載の利用者端末は、
遊技アプリケーションプログラム（遊技機アプリ）を実行することで、利用者が遊技を実施可能とされた利用者端末（携帯電話機２００）であって、
遊技場に設置される遊技機（スロットマシン１００）において予め定められた出力条件が成立したことに基づいて出力される、特定の進行制御を前記遊技アプリケーションプログラム（遊技機アプリ）に行なわせるための遊技進行情報（台出力進行制御データがシンボル化された２次元バーコード）を入力するための遊技進行情報入力手段（制御部２５５、復号プログラム、撮像部２６５）を備え、該遊技進行情報入力手段より入力された遊技進行情報に基づいて、前記遊技アプリケーションプログラムによる遊技の進行制御を実施することを特徴としている。
この特徴によれば、遊技機から出力される遊技進行情報を利用者端末に入力することにより、遊技アプリケーションプログラムによる遊技内容が変化するため、該遊技アプリケーションプログラムの利用者は、これら遊技内容を変化させるために遊技進行情報を取得しようとするので、該利用者による遊技機での遊技を効果的に促進できるとともに、遊技機からは出力条件が成立することで遊技進行情報が出力され、遊技者は、該出力された遊技進行情報を有効活用しようとするので、該遊技進行情報を活用できる遊技アプリケーションプログラムの利用も効果的に促進できる。つまり、遊技アプリケーションプログラムと遊技場の遊技機とによる相乗効果を得ることができる利用者端末を提供できる。
【手続補正９】
【補正対象書類名】明細書
【補正対象項目名】００１３
【補正方法】変更
【補正の内容】
【００１３】
本発明の請求項４に記載の遊技アプリケーションプログラムは、
利用者が操作可能とされた利用者端末（携帯電話機２００）において遊技を実施可能とするための遊技アプリケーションプログラム（遊技機アプリ）であって、
遊技場に設置される遊技機（スロットマシン１００）において予め定められた出力条件が成立したことに基づいて出力される、特定の進行制御を前記遊技アプリケーションプログラムに行なわせるための遊技進行情報（復号された台出力進行制御データ）を入力するための遊技進行情報入力ステップ（読み取り起動処理、Ｓｙ１）を含み、該遊技進行情報入力ステップにて入力された遊技進行情報に基づいて遊技の進行制御を実施することを特徴としている。
この特徴によれば、遊技機から出力される遊技進行情報を利用者端末に入力することにより、遊技内容が変化する遊技アプリケーションプログラムを提供でき、その結果として、該遊技アプリケーションプログラムの利用者は、これら遊技内容を変化させるために遊技進行情報を取得しようとするので、該利用者による遊技機での遊技を効果的に促進できるとともに、遊技機からは出力条件が成立することで遊技進行情報が出力され、遊技者は、該出力された遊技進行情報を有効活用しようとするので、該遊技進行情報を活用できる遊技アプリケーションプログラムの利用も効果的に促進できる。つまり、遊技場の遊技機とによる相乗効果を得ることができる遊技アプリケーションプログラムを提供できる。
【手続補正１０】
【補正対象書類名】明細書
【補正対象項目名】００１４
【補正方法】変更
【補正の内容】
【００１４】
本発明の請求項５に記載の遊技用システムプログラムは、
遊技場に設置される遊技機（スロットマシン１００）において実行される遊技機プログラム（制御プログラム）と、利用者が操作可能とされた利用者端末（携帯電話機２００）において遊技を実施可能とするために実行される遊技アプリケーションプログラム（遊技機アプリ）とから成る遊技用システムプログラムであって、
前記遊技機プログラムは、前記遊技機における予め定められた出力条件の成立に基づいて、特定の進行制御を前記遊技アプリケーションプログラムに行なわせるための遊技進行情報（台出力進行制御データがシンボル化された２次元バーコード）を出力する遊技進行情報出力ステップ（Ｓｂ１０；進行制御情報出力処理）を含み、
前記遊技アプリケーションプログラムは、前記遊技機から出力される前記遊技進行情報を入力するための遊技進行情報入力ステップ（読み取り起動処理、Ｓｙ１）を含み、該遊技進行情報入力ステップにて入力された遊技進行情報に基づいて遊技の進行制御を実施することを特徴としている。
この特徴によれば、遊技機から出力される遊技進行情報を利用者端末に入力することにより、遊技アプリケーションプログラムによる遊技内容が変化するため、該遊技アプリケーションプログラムの利用者は、これら遊技内容を変化させるために遊技進行情報を取得しようとするので、該利用者による遊技機での遊技を効果的に促進できるとともに、遊技機からは出力条件が成立することで遊技進行情報が出力され、遊技者は、該出力された遊技進行情報を有効活用しようとするので、該遊技進行情報を活用できる遊技アプリケーションプログラムの利用も効果的に促進できる。つまり、遊技アプリケーションプログラムと遊技場の遊技機とによる相乗効果を得ることができる遊技用システムプログラムを提供できる。